(57)【要約】【課題】  プレゼンテーションを行い易くすることが可能な情報処理装置、情報処理方法、情報処理システム及びプログラムを提供する。【解決手段】  ノート型パーソナルコンピュータ２は切り替えボタンＳ１を備え、ボタンＳ１が押下されたときの操作信号に応じて、ディスプレイ設定画面４０を表示画面１０に表示することができる。ディスプレイ設定画面４０での設定に応じて、ノート型パーソナルコンピュータ２は、プレゼンテーション設定をオンにすることができる。また、ノート型パーソナルコンピュータ２は、プレゼンテーション用ソフト７１のウィンドウＷ３と、縮小画面７５のウィンドウＷ４と、アプリケーションソフト７２、７３のウィンドウＷ１、Ｗ２とを表示画面１０に表示できる。つまり、プレゼンテーションを支援するための設定、各画面の表示を容易に行いプレゼンテーションを行い易くすることができる。【選択図】図７
2010039862.tif 000002
【特許請求の範囲】
【請求項１】
プレゼンテーションのための画像情報を外部表示装置に出力する出力手段と、
情報を表示可能な表示画面と、
予め前記表示画面に対して設定された位置関係で、前記外部表示装置に出力した前記画像情報に対応する画像を表示する第１の領域と、前記画像情報の編集が可能な第２の領域とを前記表示画面に配置する画面配置手段と
を具備する情報処理装置。
【請求項２】
請求項１に記載の情報処理装置であって、
前記画面配置手段のオン／オフを設定させる設定手段
をさらに具備する情報処理装置。
【請求項３】
請求項２に記載の情報処理装置であって、
前記画面配置手段は、前記プレゼンテーション以外のアプリケーションの画面を第３の領域として、前記第１の領域および前記第２の領域に加えて前記前記表示画面に配置する
情報処理装置。
【請求項４】
請求項３に記載の情報処理装置であって、
ユーザが操作信号を入力するための入力手段を更に具備し、
前記操作信号に応じて、前記設定手段である設定画面を前記表示画面に表示する
情報処理装置。
【請求項５】
請求項４に記載の情報処理装置であって、
前記第３の領域を前記表示画面に表示するか否かを設定する手段
を更に具備する情報処理装置。
【請求項６】
請求項５に記載の情報処理装置であって、
前記第３の領域は、
プレゼンテーションを支援する第１のアプリケーションの画面である第４の領域と、
プレゼンテーションを支援しない第２のアプリケーションの画面である第５の領域と
を有し、
前記画面配置手段は、前記第４の領域を前記第５の領域より大きく配置する
情報処理装置。
【請求項７】
請求項６に記載の情報処理装置であって、
前記第１の領域に前記画像を表示するための処理の単位時間当たりの回数を制御する表示制御手段を更に具備する
情報処理装置。
【請求項８】
請求項７に記載の情報処理装置であって、
前記外部表示装置の画面の照度を制御するための照度制御手段を更に具備する
情報処理装置。
【請求項９】
請求項８に記載の情報処理装置であって、
前記第１の領域に表示された前記画像の拡大縮小率を制御する拡大縮小率制御手段を更に具備する
情報処理装置。
【請求項１０】
情報処理装置がプレゼンテーションのための画像情報を外部表示装置に出力し、
予め前記情報処理装置の表示画面に対して設定された位置関係で、前記画像情報に対応する画像を表示する第１の領域と、前記画像情報の編集が可能な第２の領域とを前記表示画面に配置する
情報処理方法。
【請求項１１】
請求項１０に記載の情報処理方法であって、
前記第１の領域及び前記第２の領域の前記表示画面への配置のオン／オフをユーザに設定させる
情報処理方法。
【請求項１２】
プレゼンテーションのための画像情報が入力される外部表示装置と、
前記画像情報を前記外部表示装置に出力する出力手段と、情報を表示可能な表示画面と、予め前記表示画面に対して設定された位置関係で、前記外部表示装置に出力した前記画像情報に対応する画像を表示する第１の領域と、前記画像情報の編集が可能な第２の領域とを前記表示画面に配置する画面配置手段とを有する情報処理装置と
を具備する情報処理システム。
【請求項１３】
情報処理装置に実行させるプログラムであって、
プレゼンテーションのための画像情報を外部表示装置に出力させ、
予め前記情報処理装置の表示画面に対して設定された位置関係で、前記画像情報に対応する画像を表示する第１の領域と、前記画像情報の編集が可能な第２の領域とを前記表示画面に配置させる
プログラム。
【発明の詳細な説明】
【技術分野】
【０００１】
本発明は、ノート型パーソナルコンピュータ等の情報処理装置、情報処理方法、情報処理システム及びプログラムに関する。
【背景技術】
【０００２】
動画、静止画、テキスト、音声などの異なるメディア要素を統合的に扱うシステムとして、たとえばＭＭＳ（Multimedia Messaging Service）がある。これは、ＸＭＬ(eXtensible Markup Language)の応用言語として標準化が進められているＳＭＩＬ(Synchronized Multimedia Integration Language)をベースとしたものである。このＭＭＳは、動画、静止画、テキスト、音声などの異なるメディア要素を、そのシナリオとなるＳＭＩＬの記述に従って、同期化したマルチメディアプレゼンテーションに統合する仕組みである。
【０００３】
ＳＭＩＬでは、動画、静止画、テキストなどの視覚的なメディア要素のたとえばレイアウト（位置とサイズ）、タイミング、さらには聴覚的なメディア要素のたとえばタイミングなどを記述することができる。
【０００４】
このようなスシテムを用いて、ＳＭＩＬなどのレイアウト記述言語の変更に拠ることなく、例えばユーザが携帯電話に表示している画面をテレビジョンセットの表示画面のサイズや解像度などの諸条件に合わせて最適化して表示する技術が開示されている。
【特許文献１】特開２００４−５６４６９号公報（段落[００１０]、図２）
【発明の開示】
【発明が解決しようとする課題】
【０００５】
特許文献１に記載された技術では、例えばユーザが携帯電話などの電子機器を用いてプレゼンテーションをするときに、プレゼンテーションを行い易くすることができるわけではない。
【０００６】
例えばユーザがノート型パーソナルコンピュータとプロジェクタとを用いてプレゼンテーションを行う場合、ユーザが使用するノート型パーソナルコンピュータの表示画面に表示される画面と、プロジェクタにより大型スクリーンに視聴者のために表示される画面とが同じになる。このため、ユーザがプレゼンテーション中に例えばプレゼンテーション用のアプリケーションの画面で編集することができずプレゼンテーションをしにくい、という問題がある。
【０００７】
また、ユーザは、例えば大型スクリーンに背を向け視聴者の方を向いてプレゼンテーションを行うことが多い。このとき、ユーザは、例えば大型スクリーンの画面を確認するために後ろを振り返る必要がありプレゼンテーションしにくい、という問題がある。
【０００８】
以上のような事情に鑑み、本発明の目的は、プレゼンテーションを行い易くすることが可能な情報処理装置、情報処理方法及びプログラムを提供することにある。
【課題を解決するための手段】
【０００９】
上記課題を解決するために、本発明に係る情報処理装置は、出力手段と、表示画面と、画面配置手段とを有する。上記出力手段は、プレゼンテーションのための画像情報を外部表示装置に出力する。上記表示画面は、情報を表示可能である。上記画面配置手段は、予め上記表示画面に対して設定された位置関係で、上記外部表示装置に出力した上記画像情報に対応する画像を表示する第１の領域と、上記画像情報の編集が可能な第２の領域とを上記表示画面に配置する。
【００１０】
本発明では、画面配置手段は、予め表示画面に対して設定された位置関係で、情報処理装置が外部表示装置に出力した画像情報に対応する画像を表示する第１の領域と、画像情報の編集が可能な第２の領域とを表示画面に配置するので、プレゼンテーション中に外部表示装置に出力した画像情報に対応する画像を見ながら第２の領域の画像情報を編集することができる。従って、プレゼンテーションを行い易くなる。
【００１１】
上記画面配置手段のオン／オフを設定させる設定手段をさらに有するようにしてもよい。  
これにより、設定手段により簡単に画面の配置を切り替えることができる。つまり、ユーザが設定手段で一度設定するだけで容易にプレゼンテーションを支援することが可能な画面の配置にすることができる。なお、この設定により、プレゼンテーションを行い易くするための設定であるプレゼンテーション設定をするようにしてもよい。プレゼンテーション設定とは、例えばスクリーンセーバーが自動的に起動しないようにしたり、ユーザのプレゼンテーション中にノート型のパーソナルコンピュータが自動的にスリープしないようにしたりする設定である。これにより、プレゼンテーションを行うための複雑な設定を自動で行うことができる。
【００１２】
上記画面配置手段は、上記プレゼンテーション以外のアプリケーションの画面を第３の領域として、上記第１の領域および上記第２の領域に加えて上記表示画面に配置するようにしてもよい。  
これにより、情報処理装置は、第１の領域の画像や第２の領域の画像とは別の画像情報を表示画面に表示することができる。ユーザは第１の領域の画像や第２の領域の画像見ながら第３の領域の画像情報を参照してプレゼンテーションをすることができる。
【００１３】
ユーザが操作信号を入力するための入力手段を更に具備し、上記操作信号に応じて、上記設定手段である設定画面を上記表示画面に表示するようにしてもよい。  
これにより、ユーザが設定を変更したいときに入力手段を用いて操作信号を入力し設定画面を表示画面に表示することができる。
【００１４】
上記第３の領域を上記表示画面に表示するか否かを設定する手段を更に具備するようにしてもよい。  
これにより、第３の領域を選択的に表示画面に表示したり非表示にしたりすることができる。
【００１５】
上記第３の領域は、プレゼンテーションを支援する第１のアプリケーションの画面である第４の領域と、プレゼンテーションを支援しない第２のアプリケーションの画面である第５の領域とを有し、上記画面配置手段は、上記第４の領域を上記第５の領域より大きく配置するようにしてもよい。  
ここで、プレゼンテーションを支援する第１のアプリケーションとは、例えばメモを取るためのアプリケーションやプレゼンテーションを行うための資料を表示するためのアプリケーションである。プレゼンテーションを支援しない第２のアプリケーションとは、例えばゲームソフトなどのアプリケーションである。
【００１６】
これにより、プレゼンテーション中にプレゼンテーションを支援する第４の領域を第５の領域より大きく配置し、プレゼンテーションをよりやり易くすることができる。
【００１７】
上記第１の領域に上記画像を表示するための処理の単位時間当たりの回数を制御する表示制御手段を更に具備するようにしてもよい。  
これにより、情報処理装置への負荷を低減し表示画面での画面の表示などをスムーズにすることができる。
【００１８】
上記外部表示装置の画面の照度を制御するための照度制御手段を更に具備するようにしてもよい。  
これにより、プレゼンテーション中にプレゼンテーション画面が明るくなり過ぎることを防止することができる。
【００１９】
上記第１の領域に表示された前記画像の拡大縮小率を制御する拡大縮小率制御手段を更に具備するようにしてもよい。  
これにより、プレゼンテーション中に第１の領域に表示された画像を拡大したり縮小したりして、よりスムーズにプレゼンテーションを行うことができる。
【００２０】
本発明に係る情報処理方法は、情報処理装置がプレゼンテーションのための画像情報を外部表示装置に出力することを含む。予め上記情報処理装置の表示画面に対して設定された位置関係で、上記画像情報に対応する画像を表示する第１の領域と、上記画像情報の編集が可能な第２の領域とが上記表示画面に配置される。
【００２１】
本発明では、予め表示画面に対して設定された位置関係で、情報処理装置が外部表示装置に出力した画像情報に対応する画像を表示する第１の領域と、画像情報の編集が可能な第２の領域とを表示画面に配置するので、プレゼンテーション中に外部表示装置に出力した画像情報に対応する画像を見ながら第２の領域の画像情報を編集することができる。従って、プレゼンテーションを行い易くなる。
【００２２】
上記第１の領域及び上記第２の領域の上記表示画面への配置のオン／オフをユーザに設定させるようにしてもよい。
【００２３】
これにより、ユーザが一度設定するだけで容易にプレゼンテーションを支援することができるようにすることができる。
【００２４】
本発明の他の観点に係る情報処理システムは、外部表示装置と、情報処理装置とを有する。上記外部表示装置は、プレゼンテーションのための画像情報が入力される。上記情報処理装置は、出力手段と、表示画面と、画面配置手段とを有する。上記出力手段は、プレゼンテーションのための画像情報を上記外部表示装置に出力する。上記表示画面は、情報を表示可能である。上記画面配置手段は、予め上記表示画面に対して設定された位置関係で、上記外部表示装置に出力した上記画像情報に対応する画像を表示する第１の領域と、上記画像情報の編集が可能な第２の領域とを上記表示画面に配置する。
【００２５】
本発明では、プレゼンテーション中に外部表示装置に出力した画像情報に対応する画像を見ながら第２の領域の画像情報を編集することができる。従って、プレゼンテーションを行い易くなる。
【００２６】
本発明の他の観点に係るプログラムは、情報処理装置に実行させるプログラムであって、プレゼンテーションのための画像情報を外部表示装置に出力させることを含む。予め上記情報処理装置の表示画面に対して設定された位置関係で、上記画像情報に対応する画像を表示する第１の領域と、上記画像情報の編集が可能な第２の領域とが上記表示画面に配置させられる。
【００２７】
本発明では、プレゼンテーション中に外部表示装置に出力した画像情報に対応する画像を見ながら第２の領域の画像情報を編集することができる。従って、プレゼンテーションを行い易くなる。
【発明の効果】
【００２８】
以上のように、本発明によれば、プレゼンテーションを行い易くすることができる。
【発明を実施するための最良の形態】
【００２９】
以下、本発明の実施の形態を図面に基づき説明する。  
本実施形態では、情報処理装置としてノート型パーソナルコンピュータ、外部表示装置としてプロジェクタを一例に挙げ、ノート型パーソナルコンピュータ（本体ディスプレイ）の表示画面に表示された画像などを例えばプロジェクタ（外部ディスプレイ）を用いて大型のスクリーンに表示する場合について説明する。
【００３０】
図１は本発明の一実施形態に係る情報処理システムを示す図、図２は図１に示すノート型パーソナルコンピュータの閉じた状態の斜視図である。  
情報処理システム１は、例えばノート型パーソナルコンピュータ２とプロジェクタ３と、大型スクリーン４とを備えている。ノート型パーソナルコンピュータ２とプロジェクタ３とは、例えば無線又は有線によりデータ通信可能に接続される。ノート型パーソナルコンピュータ２は、例えばプレゼンテーション用の画像情報をプロジェクタ３に送信する。プロジェクタ３は、プレゼンテーション用の画像情報を受信し、大型スクリーン４にプレゼンテーション用のプレゼンテーション画面５を拡大投影表示する。
【００３１】
ノート型パーソナルコンピュータ２は、表示部６と、本体部７と、これら表示部６と本体部７とを連結するヒンジ部８とを備えている。
【００３２】
表示部６は、図１及び図２に示すようにヒンジ部８を介して本体部７に対して開閉（折り畳み）可能である。表示部６の内部には、図示しない液晶ディスプレイパネルが収容されている。表示部６は情報を表示するための表示画面１０を備え、表示画面１０は閉じた状態で本体部７に対面する。
【００３３】
本体部７は、筐体１１を備え、筺体１１の内部には、キーボードユニット１２、図示しないシステムボード、ハードディスクドライブ、光ディスクドライブ等の各ユニットが内蔵されている。キーボードユニット１２は、例えば複数のキー１２ａを備えており、ノート型パーソナルコンピュータ２の入力部として機能する。筺体１１には、ノート型パーソナルコンピュータ２とプロジェクタ３との後述する表示モードを切り替えるために用いられる押しボタン式の表示モード切り替えスイッチＳ１が配置されている。
【００３４】
表示モード切り替えスイッチＳ１は、例えばノート型パーソナルコンピュータ２の本体部７のヒンジ部８の付近に設けられている。ユーザが表示モード切り替えスイッチＳ１を押すことにより、本体部７は、後述する表示モードを切り替えるために用いられるディスプレイ設定画面を表示画面１０に表示したり、非表示にしたりする。
【００３５】
図３は図１に示すノート型パーソナルコンピュータ２のハードウェアの構成を示すブロック図である。  
同図に示すように、このノート型パーソナルコンピュータ２は、ＣＰＵ（Central Processing Unit）２１、メインメモリ２２、プログラム／データ記憶部２３、インターネットなどのネットワーク２４との接続を処理するネットワークインタフェース部２５、ユーザに情報を視覚的に提供する表示デバイス２６、ＶＲＡＭ(Video Random Access Memory)２７を用いて表示デバイス２６への描画処理を行うグラフィックコントローラ２８、ユーザに聴覚的に情報を提供するスピーカ２９、音声出力を処理するサウンドコントローラ３０、着脱自在なメモリカード３１に対するデータの読み書きを制御するメモリカードコントローラ３２、ユーザの操作入力部３３（表示モード切り替えスイッチＳ１を含む。）からの入力を処理するユーザインタフェースコントローラ３４、外部表示装置との間で無線又は有線データ入出力を行うデータ出力部３６、そして以上の各部の間で信号を伝達するためのバス３５を備える。
【００３６】
ＣＰＵ２１は、例えばプログラム／データ記憶部２３に記憶されたプログラムやデータ、ユーザによる操作入力部３３、表示モード切り替えスイッチＳ１からの入力などに基づき、メインメモリ２２をワークエリアとして用いて各種の演算処理や制御を実行する。
【００３７】
メインメモリ２２は、たとえば、ＲＡＭ（Random Access Memory）などの、ランダムに読み取りと書き込みが可能な高速なメモリからなる。
【００３８】
プログラム／データ記憶部２３は、読み取り専用あるいは読み書き可能な不揮発性の記憶装置であり、たとえばＲＯＭ（Read Only Memory）、フラッシュＲＯＭ、ディスクドライブなどである。
【００３９】
表示デバイス２６は、具体的には、ＣＲＴ（Cathode Ray Tube）、ＬＣＤ（Liquid Crystal Display）、ＰＤＰ(Plasma Display Panel)、ＯＥＬ(Organic Electroluminescence)などである。
【００４０】
着脱自在なメモリカード３１には、メモリースティック、ＳＤ(Secure Digital)メモリカード、コンパクトフラッシュ（登録商標）、スマートメディア、ＭＭＣ(Multi Media Card)などがある。
【００４１】
ユーザの操作入力部３３は、具体的には、キーボード（表示モード切り替えスイッチＳ１を含む）、マウス、ＩＲ(Infrared)リモートコントローラ、ジョグダイヤル、プッシュボタンなどである。
【００４２】
ネットワークインタフェース部２５は、例えばアナログモデム、ＬＡＮ(Local Area Network)、ＩＳＤＮ(Integrated Services Digital Network)、ＡＤＳＬ(Asymmetric Digital Subscriber Line)、ＦＴＴＨ(Fiber-To-The-Home)、Ｂｌｕｅｔｏｏｔｈなどである。
【００４３】
図４はノート型パーソナルコンピュータ２の起動時の動作を示すフローチャート、図５はノート型パーソナルコンピュータ２の起動時に表示されるディスプレイ設定画面を示す図である。  
ユーザによりノート型パーソナルコンピュータ２の電源スイッチが押されると、ＣＰＵ２１はＯＳ（Operating System）を起動したのち、ユーティリティソフトを起動し（ＳＴ５０１）、ノート型パーソナルコンピュータ２の表示画面１０の初期設定を行う（ＳＴ５０２）。ノート型パーソナルコンピュータ２の表示画面１０の初期設定が済むと、ＣＰＵ２１は、表示モードを設定するための図５に示すディスプレイ設定画面４０を表示画面１０に表示する（ＳＴ５０３）。このディスプレイ設定画面４０でのユーザによる設定により表示モードが設定される。なお、ディスプレイ設定画面４０は、起動時ではなくユーザにより表示モード切り替えスイッチＳ１が押されたときにも表示画面１０に表示される。また、ディスプレイ設定画面４０は、起動時に自動的に表示されず、ユーザにより表示モード切り替えスイッチＳ１が押されたときに表示されるようにしてもよい。
【００４４】
図５に示すようにディスプレイ設定画面４０には、例えばユーザが表示画面１０上で選択可能な通常表示選択領域６１、ミラー表示選択領域６２及びデスクトップ拡張表示選択領域６３が並べて表示されている。ディスプレイ設定画面４０内の下側の領域には、チェックボックス６４が表示されている。
【００４５】
通常表示選択領域６１は、表示モードを「通常表示モード」に設定するためのボタンである。通常表示モードとは、例えばノート型パーソナルコンピュータ２の表示画面１０のみ画像等を表示可能とし、大型スクリーン４にはノート型パーソナルコンピュータ２の表示画面１０に表示された画面が表示されない表示モードである。
【００４６】
ミラー表示選択領域６２は、表示モードを「ミラー表示モード」に設定するためのボタンである。ミラー表示モードとは、例えばノート型パーソナルコンピュータ２の表示画面１０に表示される画面と、プロジェクタ３により大型スクリーン４に投影される画面とが同じになる表示モードである。
【００４７】
デスクトップ拡張表示選択領域６３は、表示モードを「デスクトップ拡張表示モード」に設定するためのボタンである。デスクトップ拡張表示モードとは、例えばノート型パーソナルコンピュータ２の表示画面１０に表示される画面と、プロジェクタ３により大型スクリーン４に表示される画面とが後述するように異なる表示モードである。
【００４８】
チェックボックス６４は、デスクトップ拡張表示選択領域６３がユーザにより選択されたときにノート型パーソナルコンピュータ２で開いているアプリケーションソフトのなどのウィンドウを表示画面１０に並べて表示するか否かを設定（選択）するためのチェックボックスである。チェックボックス６４がチェックされたときには、表示画面１０に開かれているアプリケーションソフトなどのウィンドウがリサイズされると同時に決められた領域に並べて表示され、チェックボックス６４がチェックされていないときには、表示画面１０に開かれているアプリケーションソフトなどのウィンドウは何も影響を受けない。
【００４９】
ディスプレイ設定画面４０が表示画面１０に表示された状態で、ユーザにより通常表示選択領域６１が選択されると、図４に示すように、ＣＰＵ２１は、ノート型パーソナルコンピュータ２の表示デバイス２６（表示画面１０）のみ画像を表示可能となるように表示モードの設定情報をメインメモリ２２に記憶し、表示モードを通常表示モードに設定する（ＳＴ５０４）。ＣＰＵ２１は、「プレゼンテーション設定（プレゼンテーションモード）」の設定情報をオフにする（ＳＴ５０５）。このプレゼンテーション設定とは、設定がオン状態のときに、例えばスクリーンセーバーが自動的に起動しないようにしたり、ユーザのプレゼンテーション中にノート型のパーソナルコンピュータが自動的にスリープしないようにしたりする設定である。ＳＴ５０５により、通常表示モードにおいては、例えばスクリーンセーバーが自動的に起動したり、ノート型のパーソナルコンピュータ２が自動的にスリープしたりすることになる。
【００５０】
ディスプレイ設定画面４０が表示画面１０に表示された状態で、ユーザによりミラー表示選択領域６２が選択されると、図４に示すように、ＣＰＵ２１は、ノート型パーソナルコンピュータ２の表示画面１０に表示される画面と、プロジェクタ３により大型スクリーン４に投影されるプレゼンテーション画面５とが同じになるように表示モードの設定情報をメインメモリ２２に記憶し、表示モードをミラー表示モードに設定する（ＳＴ５０６）。ＣＰＵ２１は、「プレゼンテーション設定（プレゼンテーションモード）」の設定情報をオンにする（ＳＴ５０７）。これにより、ユーザがプレゼンテーションを行っているときに、例えばスクリーンセーバーが自動的に起動しないようにしたり、ノート型パーソナルコンピュータ２が自動的にスリープしないようにしたりすることができる。また、ＣＰＵ２１は、プロジェクタ３に表示させるための画像情報をプロジェクタ３に出力する。
【００５１】
ディスプレイ設定画面４０が表示画面１０に表示された状態で、ユーザによりデスクトップ拡張表示選択領域６３が選択されたときに、ＣＰＵ２１は図４に示すデスクトップ拡張表示処理（ＳＴ５０８）を実行する。
【００５２】
図６は、ＳＴ５０８のデスクトップ拡張表示処理のフローチャートを示す図であり、図７は、ノート型パーソナルコンピュータ２のデスクトップ拡張表示モード時の表示画面１０の一例を示す図である。  
なお、以下の説明（図６及び図７）においては、アプリケーションソフト７１、７２、７３が表示画面１０上で開かれている場合について説明する。
【００５３】
ここで、アプリケーションソフト７１（以下、プレゼンテーション用ソフト７１という。）は、プレゼンテーションを支援することが可能なソフトウェアである。つまり、プレゼンテーションを行うときに有効な機能、例えば複数の画像を一枚ずつ順に所定のタイミングでスライドして表示する機能を実現することが可能なソフトウェアである。
【００５４】
アプリケーションソフト７２は、プレゼンテーション用ソフト７１を用いてプレゼンテーションを行うときにプレゼンテーションを支援することが可能なソフトウェアである。アプリケーションソフト７２は、例えば文字（画像）入出力ソフトなどである。
【００５５】
アプリケーションソフト７３は、プレゼンテーション用ソフト７１を用いてプレゼンテーションを行うときにプレゼンテーションを支援することができないソフトウェアである。アプリケーションソフト７３は、例えばプレゼンテーションとは無関係なゲームソフトなどである。
【００５６】
ＣＰＵ２１は、図６に示すように、ノート型パーソナルコンピュータ２の表示画面１０に表示される画面と、プロジェクタ３により大型スクリーン４に投影される画面とが異なるように表示モードの設定情報をメインメモリ２２に記憶し、表示モードをデスクトップ拡張表示モードに設定する（ＳＴ７０１）。
【００５７】
ＣＰＵ２１は、ＳＴ５０７と同様に「プレゼンテーション設定」の設定情報をオンにする（ＳＴ７０２）。これにより、ユーザがプレゼンテーションを行っているときに、例えばスクリーンセーバーが自動的に起動しないようにしたり、ノート型パーソナルコンピュータ２が自動的にスリープしないようにしたり、音量の設定をしたり、背景の設置をしたりすることができる。
【００５８】
ＣＰＵ２１は、図５に示すチェックボックス６４がチェックされているか否かを判断する（ＳＴ７０３）。
【００５９】
チェックボックス６４がチェックされているときには（ＳＴ７０３でＹＥＳ）、ＣＰＵ２１は、図７に示すようにアプリケーションソフト７２、７３のウィンドウＷ１、Ｗ２をリサイズして表示画面１０のアプリケーションソフト表示領域Ａ１に表示する（ＳＴ７０４）。アプリケーションソフト表示領域Ａ１は、例えば表示画面１０の右下側に一点鎖線で示す領域である。このとき、ＣＰＵ２１は、例えばアプリケーションソフト７２、７３のウィンドウＷ１、Ｗ２をそれぞれ同じ大きさでアプリケーションソフト表示領域Ａ１に表示する。なお、アプリケーションソフト７２、７３のウィンドウＷ１、Ｗ２の大きさは特に限定されず、例えばアプリケーションソフト７２、７３等の使用頻度などの情報に応じて、使用頻度の多いアプリケーションソフトのウィンドウを使用頻度の少ないアプリケーションソフトのウィンドウより大きくアプリケーションソフト表示領域Ａ１に表示するようにしてもよい。
【００６０】
ＣＰＵ２１は、ＳＴ７０３において、図５に示すチェックボックス６４がチェックされていないと判断したときには（ＳＴ７０３でＮＯ）、ＳＴ７０４を実行せずにＳＴ７０５に進む。
【００６１】
ＣＰＵ２１は、プレゼンテーション用ソフト７１が実行されているか否かを判断する（ＳＴ７０５）。
【００６２】
ＣＰＵ２１は、プレゼンテーション用ソフト７１が実行されていると判断したときには（ＳＴ７０５でＹＥＳ）、プレゼンテーション用ソフト７１の設定情報を変更する（ＳＴ７０６）。
【００６３】
つまり、従来では、ユーザがプレゼンテーション用ソフト７１の図８に示す設定変更画面（スライドショーの設定画面）を表示画面１０に表示し、図８に示す「複数のモニタ」においてスライドショーを表示するモニタを設定していたが、ＳＴ７０６においてＣＰＵ２１により自動でモニタの設定が行われる。
【００６４】
ＣＰＵ２１は、図７に示すプレゼンテーション用ソフト７１の編集ウィンドウＷ３を表示画面１０のプレゼンテーション用ソフト表示領域Ａ２に表示する（ＳＴ７０７）。プレゼンテーション用ソフト表示領域Ａ２は、図７において点線で示す領域である。このとき、例えばプレゼンテーション用ソフト表示領域Ａ２は、例えば表示画面１０の左側の領域である。
【００６５】
ＣＰＵ２１は、プレゼンテーション用ソフト７１が実行されていないときには（ＳＴ７０５でＮＯ）、ＳＴ７０６、ＳＴ７０７の処理を実行せずにＳＴ７０８に進む。
【００６６】
ＣＰＵ２１は、外部ディスプレイ表示ソフト７４を実行し、ノート型パーソナルコンピュータ２がプロジェクタ３に出力した画像情報に対応する画像である縮小画面７５のウィンドウＷ４を外部ディスプレイ表示領域Ａ３に表示する（ＳＴ７０８）。縮小画面７５は、プロジェクタ３により大型スクリーン４に投影されたプレゼンテーション画面５が縮小された画面と同じである。外部ディスプレイ表示領域Ａ３は、例えば図７に示す表示画面１０の右上側の領域であり、２点鎖線で示す領域である。なお、ＳＴ７０４、ＳＴ７０７及びＳＴ７０８の処理順序は、これに限定されず変更可能である。
【００６７】
外部ディスプレイ表示ソフト７４のウィンドウＷ４内には、このウィンドウＷ４内の下側の領域に、図７に示すように縮小画面７５の拡大縮小率を設定するための拡大縮小率設定部７６が表示されている。拡大縮小率設定部７６は、マイナスボタン７７、プラスボタン７８及び拡大縮小率設定レバー７９を備える。マイナスボタン７７は、縮小画面７５として表示するプレゼンテーション画面５の表示倍率を縮小するためのボタンである。プラスボタン７８は、縮小画面７５として表示するプレゼンテーション画面５の表示倍率を拡大するためのボタンである。拡大縮小率設定レバー７９は、マイナスボタン７７とプラスボタン７８との間で例えばユーザによるマウスのドラッグ操作により左右に移動させることができる。拡大縮小率設定レバー７９の位置を調整することにより、縮小画面７５の表示倍率を拡大縮小することができる。
【００６８】
このとき、ＣＰＵ２１は、通常、所定時間間隔で縮小画面７５を表示するためのデコード処理を行うが、一定の率で間引いてデコード処理を行う（ＳＴ７０９）。つまり、ＣＰＵ２１は、縮小画面７５を表示するための所定時間当たりのデコード処理の回数を通常より少なくする。これにより、縮小画面７５の所定時間当たりのデコード処理の回数を低減し、ＣＰＵ２１等の負荷が低減される。  
具体的には、プレゼンテーション用ソフト７１の中にはアニメーション等、ＣＰＵ２１の処理負荷の高い処理を実行する機能が含まれており、このようなアニメーション処理を、プロジェクタ３等の外部ディスプレイとノート型パーソナルコンピュータ２の表示画面１０との双方に表示させる場合、ＣＰＵ２１の処理能力に応じては外部ディスプレイのアニメーション処理速度が低下する可能性がある。そこで、縮小画面７５のデコード処理を所定時間間隔で間引くことで、ＣＰＵ２１の負荷を低減させ、本来のプレゼンテーションの進行処理に影響を及ぼすことなく、ユーザの手元にある縮小画面７５を表示させることが可能となる。なお、この処理を間引く間隔は、一定ではなく、ＣＰＵ２１の負荷に応じて変更してもよい。  
また、データ出力部３６は、プレゼンテーション用ソフト７１の画面情報をプロジェクタ３に出力する（ＳＴ７１０）。
【００６９】
プレゼンテーション用ソフト表示領域Ａ２は、例えば表示画面１０の大きさの半分以上の大きさであり、アプリケーションソフト表示領域Ａ１の大きさは、例えば外部ディスプレイ表示領域Ａ３の大きさとほぼ同じ大きさとなる。
【００７０】
このように本実施形態によれば、ノート型パーソナルコンピュータ２は、表示モードを切り替えるための表示モード切り替えスイッチＳ１を備え、例えば表示モード切り替えスイッチＳ１が押下されたときの操作信号に応じて、ディスプレイ設定画面４０を表示画面１０に表示することができる。ディスプレイ設定画面４０でのユーザによる設定に応じて、ノート型パーソナルコンピュータ２は、スクリーンセーバーが自動的に起動しないようにようにするためのプレゼンテーション設定をオンにすることができる（ＳＴ７０２）。また、図７に示すようにプレゼンテーション用ソフト７１の例えば編集ウィンドウＷ３と、縮小画面７５のウィンドウＷ４と、アプリケーションソフト７２、７３のウィンドウＷ１、Ｗ２とを表示画面１０に表示することができる（ＳＴ７０４、ＳＴ７０７、ＳＴ７０８）。つまり、ユーザが表示モード切り替えスイッチＳ１を押しディスプレイ設定画面４０で設定するだけで、プレゼンテーションを支援するための設定、各画面の表示を容易に行うことができる。この結果、縮小画面７５や資料を見ながら編集ウィンドウＷ３で編集したりウィンドウＷ１でメモを取ったりすることができ、プレゼンテーションが行い易くなる。
【００７１】
より具体的には、プロジェクタ３の大型スクリーン４が直接見えない状況でも、視聴者が大型スクリーン４で見ているプレゼンテーション画面５と同じ画面を表示画面１０中で見ながら容易にプレゼンテーションを行うことができる。また、プレゼンテーション用ソフト７１の編集ウィンドウＷ３や縮小画面７５に表示される情報とは別の質疑応答等のメモ書きの情報や例えば予め手元に用意しておいた資料などの情報をアプリケーションソフト表示領域Ａ１に表示してメモを見たり取ったりしながら、また資料を見ながらプレゼンテーションをすることができる。
【００７２】
従来、ユーザがプレゼンテーション設定を行うためには、例えばノート型のパーソナルコンピュータの初期画面において、例えばコントロールパネル、モバイルコンピュータ、Windows（登録商標）モビリティセンターを順に選択し、プレゼンテーション設定をＯＮとしなければならない。つまり、プレゼンテーションをやり易くするために、その都度、複雑な設定をしなければならなかった。本実施形態では、ＳＴ７０２においてＣＰＵ２１が自動的にプレゼンテーション設定を行うので、ユーザにとってより使い易くなる。
【００７３】
ノート型パーソナルコンピュータ２は、ディスプレイ設定画面４０中にチェックボックス６４を表示することができる。このチェックボックス６４にチェックを入れる簡単な操作で、デスクトップ拡張表示モードのときのアプリケーションソフト７２、７３のウィンドウＷ１、Ｗ２を自動的にリサイズし、アプリケーションソフト表示領域Ａ１に並べて配置することができる。また、このチェックボックス６４でウィンドウを自動的に並べるだけでなく、アプリケーションソフト７２、７３のウィンドウＷ１、Ｗ２の表示／非表示を切り替えることができるようにしてもよい。例えば、チェックボックス６４のチェックをとりオフにすることにより、アプリケーションソフト７２、７３を非表示にして、外部ディスプレイ表示ソフト７４のウィンドウＷ４を外部ディスプレイ表示領域Ａ３より大きい領域に手動又は自動で表示するようにしてもよい。これにより、大型スクリーン４に表示されたプレゼンテーション画面５をより大きく表示し、プレゼンテーション画面５の内容をより正確に把握し、よりスムーズなプレゼンテーションを行うことができる。
【００７４】
図５に示すディスプレイ設定画面４０においてユーザによりミラー表示選択領域６２又はデスクトップ拡張表示選択領域６３が選択されたときに、通常時の大型スクリーン４の画面の照度より小さい照度を設定するための照度設定情報をノート型パーソナルコンピュータ２が自動的にメインメモリ２２に記憶することが好ましい。これにより、この照度設定情報に基づきプロジェクタ３は、大型スクリーン４のプレゼンテーション画面５の照度を通常時より小さくすることができ、プレゼンテーション中にプレゼンテーション画面５が明るくなり過ぎることを防止することができる。
【００７５】
図９は第１の変形例のデスクトップ拡張表示の表示画面１０を示す図である。  
本変形例では、上記実施形態に比べて、ＣＰＵ２１は、実行されている複数のアプリケーションソフト７２等がプレゼンテーションを支援することが可能か否かに応じて、アプリケーションソフト表示領域Ａ１に表示されるアプリケーションソフトのウィンドウの大きさをそれぞれ制御する点が異なる。
【００７６】
例えばユーザが、プレゼンテーションを支援することの可能なアプリケーションソフトを予め登録することが可能であるようにすることが好ましい。例えばこの登録をするための登録プログラムを予めノート型パーソナルコンピュータ２にインストールしておくことでこのような制御が可能となる。
【００７７】
例えばプレゼンテーション用ソフト７１と、プレゼンテーションを支援することが可能なアプリケーションソフト７２と、プレゼンテーションを支援することができないアプリケーションソフト８０とが実行されている場合に、ユーザにより表示モード切り替えスイッチＳ１が押下されたときを考える。この場合には、ＣＰＵ２１は、プレゼンテーションを支援可能なアプリケーションソフト７２のウィンドウＷ５をアプリケーションソフト８０のウィンドウＷ６より大きくリサイズしてアプリケーションソフト表示領域Ａ１に表示する。例えば図９で一点鎖線で示すアプリケーションソフト表示領域Ａ４は、アプリケーションソフト７２のウィンドウＷ５が表示される領域である。例えば図９で二点鎖線で示すアプリケーションソフト表示領域Ａ５は、アプリケーションソフト８０のウィンドウＷ６が表示される領域である。アプリケーションソフト表示領域Ａ４（ウィンドウＷ５）は、アプリケーションソフト表示領域Ａ５（ウィンドウＷ６）より大きく表示されている。
【００７８】
このように、プレゼンテーション中にプレゼンテーションを支援するアプリケーションソフト７２（例えば文字（画像）入出力用ソフト）のウィンドウＷ５をゲームソフト等のウィンドウＷ６より大きく表示し、限られた表示画面１０をメモなどを取るために有効に活用しプレゼンテーションをより行い易くすることができる。
【００７９】
図１０は第２の変形例の情報処理システムを示す図である。  
同図に示すように、本変形例の情報処理システム１００は、上記実施形態の情報処理システム１に比べて、外部表示装置（外部ディスプレイ）としてプロジェクタ３の代わりにノート型パーソナルコンピュータ２’を用いる点が異なる。ノート型パーソナルコンピュータ２と、ノート型パーソナルコンピュータ２’とは上述したように無線又は有線通信可能に構成されている。
【００８０】
このような構成によれば、上記実施形態と同様に、ノート型パーソナルコンピュータ２’の表示画面１０１にプレゼンテーション画面を表示しつつ、ノート型パーソナルコンピュータ２の表示画面１０に図７に示したプレゼンテーション用ソフト７１の編集ウィンドウＷ３、縮小画面７５のウィンドウＷ４及びアプリケーションソフト７２、７３のウィンドウＷ１、Ｗ２を表示することができる。この結果、ノート型パーソナルコンピュータ２、２’を用いてプレゼンテーションを行う場合にも、プレゼンテーションの設定を容易にすることができるとともに、プレゼンテーションをより行い易くすることができる。
【００８１】
図１１はノート型パーソナルコンピュータ２、２’を用いた操作の一例を示す図である。  
同図に示すように、例えば表示モードがディスプレイ拡張表示モードであるときに、例えばユーザは、ノート型パーソナルコンピュータ２のエスケープボタン（Ｅｓｃ）を押して、ディスプレイ拡張表示モードを解除することができる。その後に、ユーザは、例えばアプリケーションソフト７２のウィンドウＷ７をドラックし、例えば表示画面１０１上にドロップし、表示画面１０１上にウィンドウＷ７を表示することができる。このような構成によれば、ユーザがプレゼンテーションをしているときに、アプリケーションソフト７２を使って記録したメモを、表示画面１０１を見ている視聴者に直ぐに見せることができる。
【００８２】
上記実施形態などでは、ディスプレイ拡張表示モードのときに、プレゼンテーション用ソフト７１の編集ウィンドウＷ３が表示画面１０の左側に表示され、外部ディスプレイ表示ソフト７４のウィンドウＷ４が表示画面１０の右上側に表示され、アプリケーションソフト７２、７３のウィンドウＷ１、Ｗ２が表示画面１０の右下側に表示される例を示した。しかし、各ウィンドウＷ１〜Ｗ４が表示される領域及び大きさは特に限定されず、例えばユーザの使い易さに応じて様々な変更が可能である。
【００８３】
上記実施形態や変形例では、情報処理装置としてノート型パーソナルコンピュータ２を用い、外部表示装置としてプロジェクタ３やノート型パーソナルコンピュータ２’を用いる例を示した。しかし、情報処理装置や外部表示装置はこれらに限定されない。例えば情報処理装置としてデスクトップ型パーソナルコンピュータを用いてもよいし、外部表示装置として、デスクトップ型パーソナルコンピュータ、テレビジョン等様々な電子機器を用いるようにしてもよい。このようにしても、同様にプレゼンテーションを容易に行うことができる。
【００８４】
上記実施形態や変形例では、例えば表示モード切り替えスイッチＳ１がノート型パーソナルコンピュータ２の本体部７のヒンジ部８の付近に設けられている例を示した。しかし、表示モード切り替えスイッチＳ１が設けられる位置は、これに限定されず、例えばヒンジ部８に設けたり、本体部７の側面に設けたりしてもよい。このような構成にしても、ユーザによるワンタッチ操作で簡単に表示モードの切り替え設定を開始することができる。
【００８５】
上記実施形態や変形例では、ディスプレイ設定画面４０に、通常表示選択領域６１、ミラー表示選択領域６２及びデスクトップ拡張表示選択領域６３を並べて表示する例を示した。しかし、これに限定されず、例えばディスプレイ設定画面内に、チェックボックスやラジオボタン等を表示しておき、各表示モードをユーザが選択することができるようにしてもよい。これにより、上記実施形態などと同様に、ユーザは、容易に表示モードを選択し設定することができる。
【００８６】
上記実施形態や変形例では、ディスプレイ設定画面４０のチェックボックス６４を用いて、プレゼンテーション用ソフト７１とは別のアプリケーションソフトのウィンドウを表示画面１０に並べて表示するか否かを設定（選択）する例を示した。しかし、チェックボックス６４に限定されず、例えばラジオボタン等の様々な選択ボタンを用いることができる。
【００８７】
上記実施形態や変更例では、縮小画面７５の拡大縮小率を変更するために拡大縮小率設定部７６（マイナスボタン７７、プラスボタン７８及び拡大縮小率設定レバー７９）を備える例を示した。しかし、拡大縮小率設定部は、これに限定されず、例えば標準の画面の大きさに対する拡大縮小率の数値を直接入力するようにしてもよい。このようにしても、上記実施形態などと同様に縮小画面７５を拡大縮小してプレゼンテーションを行い易くすることができる。
【００８８】
本発明は、上述の実施形態や変形例に限定されるものではなく、本発明の要旨を逸脱しない範囲内において種々更新を加え得ることは勿論である。
【図面の簡単な説明】
【００８９】
【図１】本発明の一実施形態に係る情報処理システムを示す図である。
【図２】図１に示すノート型パーソナルコンピュータの閉じた状態の斜視図である。
【図３】ノート型パーソナルコンピュータのハードウェアの構成を示すブロック図である。
【図４】ノート型パーソナルコンピュータの起動時の動作を示すフローチャートである。
【図５】ノート型パーソナルコンピュータの起動時に表示されるディスプレイ設定画面を示す図である。
【図６】デスクトップ拡張表示処理のフローチャートを示す図である。
【図７】ノート型パーソナルコンピュータのデスクトップ拡張表示モード時の表示画面の一例を示す図である。
【図８】プレゼンテーション用ソフトの設定変更画面を示す図である。
【図９】第１の変形例のデスクトップ拡張表示の表示画面を示す図である。
【図１０】第２の変形例の情報処理システムを示す図である。
【図１１】ノート型パーソナルコンピュータ２、２’を用いた操作の一例を示す図である。
【符号の説明】
【００９０】
Ｓ１  表示モード切り替えスイッチ
Ａ１、Ａ４、Ａ５  アプリケーションソフト表示領域
Ａ２  プレゼンテーション用ソフト表示領域
Ａ３  外部ディスプレイ表示領域
１、１００  情報処理システム
２  ノート型パーソナルコンピュータ
３  プロジェクタ
４  大型スクリーン
５  プレゼンテーション画面
６  表示部
１０、１０１  表示画面
２１  ＣＰＵ
２２  メインメモリ
２３  データ記憶部
２６  表示デバイス
３３  操作入力部
４０  ディスプレイ設定画面
６１  通常表示選択領域
６２  ミラー表示選択領域
６３  デスクトップ拡張表示選択領域
６４  チェックボックス
７１  アプリケーションソフト（プレゼンテーション用ソフト）
７２、７３、８０  アプリケーションソフト
７４  外部ディスプレイ表示ソフト
７５  縮小画面
７６  拡大縮小率設定部
７７  マイナスボタン
７８  プラスボタン
７９  拡大縮小率設定レバー
Ｗ１  ウィンドウ（第３の領域の一部（第４の領域））
Ｗ２  ウィンドウ（第３の領域の一部（第５の領域））
Ｗ３  ウィンドウ（第２の領域）
Ｗ４  ウィンドウ（第１の領域）
【図１】
2010039862.tif 000003
【図２】
2010039862.tif 000004
【図３】
2010039862.tif 000005
【図４】
2010039862.tif 000006
【図５】
2010039862.tif 000007
【図６】
2010039862.tif 000008
【図７】
2010039862.tif 000009
【図８】
2010039862.tif 000010
【図９】
2010039862.tif 000011
【図１０】
2010039862.tif 000012
【図１１】
2010039862.tif 000013